(57)【要約】【課題】  画像形成装置が受信するデータに応じて、省電力モードからの復帰をユーザの意向によって適切なタイミングで行うようにした画像形成装置を提供する。【解決手段】  画像形成装置１０は印刷機構部３２への電源供給を制御する省電力制御部３１と、画像形成装置１０に送信される制御コードが付加されたデータを受信するデータ受信部２１と、前記制御コードを解析するデータ解析部２２と、データに印刷データが含まれる場合に該印刷データをビットマップデータに展開した画像データを作成する画像作成部２３と、を備え、データ解析部２２において制御コードが画像形成装置を省電力モードから復帰させることを指示する復帰指示コードである場合、データ解析部２２は省電力制御部３１に復帰指示信号を送信し、省電力制御部３１は、画像形成装置１０が省電力モードで動作中であれば、印刷機構部３２への電源供給を再開する。【選択図】      図１
2006248054.tif 000002
【特許請求の範囲】
【請求項１】
印刷機構部への電源供給を制御する省電力制御部を備えた印刷エンジン部を有する画像形成装置において、
前記画像形成装置は、画像形成装置に送信される制御コードが付加されたデータを受信するデータ受信部と、前記制御コードを解析するデータ解析部と、前記データに印刷データが含まれる場合に該印刷データをビットマップデータに展開した画像データを作成する画像作成部と、を備え、
前記データ解析部において前記制御コードが画像形成装置を省電力モードから復帰させることを指示する復帰指示コードである場合、データ解析部は省電力制御部に復帰指示信号を送信し、省電力制御部は、画像形成装置が省電力モードで動作中であれば、印刷機構部への電源供給を再開するように構成したことを特徴とする画像形成装置。
【請求項２】
前記画像形成装置は、画像作成部で作成した画像データを印刷エンジン部に供給する画像出力部を備え、前記制御コードが復帰指示コードでない場合に、前記画像出力部から画像データを印刷エンジン部に供給するとともに、前記省電力制御部に復帰指示信号を送信し、省電力制御部は、画像形成装置が省電力モードで動作中であれば、印刷機構部への電源供給を再開するように構成したことを特徴とする請求項１に記載の画像形成装置。
【発明の詳細な説明】
【技術分野】
【０００１】
本発明は、省電力モードを有する画像形成装置に関するものであり、特に画像形成装置が省電力モードで待機中である場合に、画像形成装置がクライアントコンピュータ装置やホストコンピュータ装置から受信するデータに応じて、省電力モードからの復帰をユーザの意向によって適切なタイミングで行うようにした画像形成装置に関するものである。
【背景技術】
【０００２】
プリンタや、プリンタを含む複数の機能を有するデジタル複合機（以下、総称して画像形成装置という）等は、企業等においてはネットワークを介して複数のコンピュータ装置（例えばＰＣ）、あるいは他の画像形成装置に接続され、使用されている。また、最近では、企業内のローカルエリアネットワークのみならず、インターネットの通信プロトコルを利用して、インターネット網を介してローカルエリアネットワークに接続された画像形成装置を使用できるように構成したシステムも実現している。
【０００３】
このような画像形成装置においては、エネルギー節約のために省電力モードで動作するように構成されている。省電力モードでは、コンピュータ装置から印刷ジョブが送信されない待機中において、画像形成装置の潜像形成部、転写部、定着部などの印刷エンジン部の電力供給を停止して無駄な電力を消費しないように制御される。また、事務所等に設置されたプリンタの場合、特に、夜間など印刷エンジン部の使用頻度が低下する時間帯には画像形成装置を省電力モードで運転し省電力を図るようになされている。
【０００４】
省電力モードで動作する画像形成装置において、省電力モードにおいて画像形成装置のどの構成要素の電力供給を停止するかについては種々の設計がなされている。一般的には前述のように印刷エンジン部への電力供給を停止するものが多いが、例えば下記の特許文献１（特開２０００−２６７５１８号公報）には、両面印刷ユニットを備えた画像形成装置において、両面印刷ユニットの動作が不必要な時に両面印刷ユニットの電源をオフする制御を行う画像形成装置（電子写真装置）が開示されている。
【０００５】
一般に、省電力モードで稼働している画像装置において、省電力モードから復帰する場合は、クライアントコンピュータ装置やホストコンピュータ装置から画像形成装置に対する何らかのデータ送信があった場合に自動的に画像形成装置側において、省電力モードからの復帰処理が行われ、省電力モード時に電力供給が停止されていた部分への電力供給が再開される。
【０００６】
ところで、上記のように、クライアントコンピュータ装置やホストコンピュータ装置から画像形成装置に何らかのデータが送信されることにより、省電力モードから復帰するような構成においては、必ずしも省電力モードから復帰しなくてもよい場合であっても、省電力モードからの復帰が自動的に行われてしまい、無駄な電力消費が発生してしまう。例えば、クライアントコンピュータ装置やホストコンピュータ装置から画像形成装置に送られるデータには、印刷ジョブデータのように実際に画像形成装置において印刷を行うためのデータの他に画像形成装置の設定を行うデータなど、画像形成装置に印刷動作を伴わない処理を行わせるためのデータがある。
【０００７】
印刷動作を伴わないデータを受信した場合にも画像形成装置側で省電力モードを復帰する制御を行うと無駄な電力消費が発生するため、更にきめ細かい省電力モードからの復帰制御が行えるように構成することが好ましい。このような復帰制御を行う画像形成（プリンタ装置）が、例えば、下記の特許文献２（特開平１１−１２９５８１号公報）に開示されている。
【０００８】
この特許文献２に開示されたスリープモード制御装置は、ホスト機器から供給される印字データはデータ受信部に入力され、受信データ解析部でコマンド解析され、フレームメモリにビットマップデータとして記憶された後、プリンタエンジンに出力され、記録紙への印刷処理が行われる。この間、受信データ解析部内の有効印字データ識別部は入力される印字データの中に、文字コード等の有効印字データが含まれているか識別し、有効印字データが含まれている場合にのみ、スリープモード管理部に通知を行い、スリープモード管理部がプリンタ装置をスリープモードから解除するように構成している。
【０００９】
すなわち、上記のスリープモード制御装置は、クライアントコンピュータ装置やホストコンピュータ装置から画像形成装置に送られるデータを解析し、データ中に有効印字データが含まれている場合、つまり画像形成装置において印刷動作を伴うデータの場合にスリープモード管理部に通知し、画像形成装置の省電力モードからの復帰を制御するものである。この制御により、実際に印刷動作を行う場合のみ画像形成装置が省電力モードから復帰することになり、無駄な電力の消費を抑制することができるようになる。
【００１０】
【特許文献１】特開２０００−２６７５１８号公報（図１）
【特許文献２】特開平１１−１２９５８１号公報（図１、段落［００１７］、［００２１］、［００２２］、［００３６］）
【発明の開示】
【発明が解決しようとする課題】
【００１１】
上記特許文献２に開示されたスリープモード制御装置では、クライアントコンピュータ装置やホストコンピュータ装置から画像形成装置が受信したデータを解析して有効印字データが含まれるか否かを判断した後に、省電力モードからの解除制御が行われる。そして、有効印字データがあるか否かの解析は受信データ（ＰＤＬデータ）に含まれる文字コードをキャラクタージェネレータで文字パターンデータに変換し、ビットマップメモリーに展開する過程で判別している。
【００１２】
一般に画像形成装置において、省電力モードからの復帰制御が行われて印刷エンジン部に電力が開始されても、各部の温度が一定の温度に上昇しないと印刷動作自体は開始されない。例えば、定着部が定着可能な一定の温度に達しないと印刷動作を開始することができない。しかしながら、画像形成装置に印刷データを送信するクライアントコンピュータ装置やホストコンピュータ装置のユーザによっては、省電力モードから復帰して最初の印刷結果が出力される（ファーストプリント）までの時間を短縮したいという要求を持つユーザがいる。
【００１３】
このようなユーザの要求に対して、上記特許文献２に開示されたスリープモード制御装置では、受信データの解析が印刷データをビットマップメモリに展開する過程で行われており、ファーストプリントの開始時間が遅れるという問題点があった。
【００１４】
本願の発明者は上記の問題点を解消すべく種々検討を重ねた結果、クライアントコンピュータ装置やホストコンピュータ装置から画像形成装置に送信するデータに省電力モードからの復帰を指示する制御コードを付加することにより上記問題点を解消し得ることに想到して本発明を完成するに至ったものである。
【００１５】
すなわち、本発明は上記の問題点を解消することを課題とし、画像形成装置がクライアントコンピュータ装置やホストコンピュータ装置から受信するデータに応じて、省電力モードからの復帰をユーザの意向によって適切なタイミングで行うようにした画像形成装置を提供することを目的とするものである。
【課題を解決するための手段】
【００１６】
前記課題を解決するために、本願の請求項１にかかる発明は、
印刷機構部への電源供給を制御する省電力制御部を備えた印刷エンジン部を有する画像形成装置において、
前記画像形成装置は、画像形成装置に送信される制御コードが付加されたデータを受信するデータ受信部と、前記制御コードを解析するデータ解析部と、前記データに印刷データが含まれる場合に該印刷データをビットマップデータに展開した画像データを作成する画像作成部と、を備え、
前記データ解析部において前記制御コードが画像形成装置を省電力モードから復帰させることを指示する復帰指示コードである場合、データ解析部は省電力制御部に復帰指示信号を送信し、省電力制御部は、画像形成装置が省電力モードで動作中であれば、印刷機構部への電源供給を再開するように構成したことを特徴とする。
【００１７】
また、本願の請求項２にかかる発明は、請求項１にかかる発明において、
画像形成装置は、画像作成部で作成した画像データを印刷エンジン部に供給する画像出力部を備え、前記制御コードが復帰指示コードでない場合に、前記画像出力部から画像データを印刷エンジン部に供給するとともに、前記省電力制御部に復帰指示信号を送信し、省電力制御部は、画像形成装置が省電力モードで動作中であれば、印刷機構部への電源供給を再開するように構成したことを特徴とする。
【発明の効果】
【００１８】
請求項１にかかる発明においては、データ解析部において前記制御コードが画像形成装置を省電力モードから復帰させることを指示する復帰指示コードである場合、データ解析部は省電力制御部に復帰指示信号を送信し、省電力制御部は、画像形成装置が省電力モードで動作中であれば、印刷機構部への電源供給を再開する。
これにより画像形成装置１０は直ちに省電力モードから復帰し、画像作成部２３がビットマップメモリに印刷データを展開して画像データを作成し、その画像データを画像バッファに出力する間に、定着器等の温度が所定の温度に上昇し印刷機構部３２が印刷可能な状態になる。この結果、ユーザはファーストプリントを素早く得ることができるようになる。
【００１９】
また、請求項２にかかる発明においては、請求項１にかかる発明において、制御コードが復帰指示コードでない場合に、前記画像出力部から画像データを印刷エンジン部に供給するとともに、前記省電力制御部に復帰指示信号を送信し、省電力制御部は、画像形成装置が省電力モードで動作中であれば、印刷機構部への電源供給を再開する。
従って、クライアントコンピュータ装置やホストコンピュータ装置から復帰指示コードが付加されていないデータが送信された場合、画像形成装置１０は、受信したデータに印刷すべきデータが含まれている場合に、画像データを印刷エンジン部３０に出力する段階で初めて省電力モードから復帰させる省電力復帰信号を省電力制御部３１に送出するものであるから、受信したデータに印刷データが含まれない場合の無駄な電力消費を抑制することができるようになる。
【発明を実施するための最良の形態】
【００２０】
以下、本発明の具体例を実施例及び図面を用いて詳細に説明する。図１は、本発明の実施例にかかる画像形成装置の構成を示すブロック図、図２は、図１の画像形成装置の動作手順を示すフローチャートである。
【実施例】
【００２１】
本発明の実施例１にかかる画像形成装置１０は、図１に示すように制御部２０と印刷エンジン部３０から構成される。制御部２０はクライアントコンピュータ装置やホストコンピュータ装置からのデータを受信するデータ受信部２１、受信したデータに付加される制御コードを解析するデータ解析部２２、印刷データ（ＰＤＬデータ）をビットマップメモリに展開する画像作成部２３、ビットマップメモリに展開された画像データを印刷エンジン部３０に出力する画像出力部２４を備えて構成されている。
【００２２】
印刷エンジン部３０は、省電力制御部３１、転写ドラムや定着器などからなる印刷機構部３２、電源部３３、画像バッファ３４を備えて構成されている。画像バッファ３４は画像出力部２４から出力された画像データをバッファするメモリである。省電力制御部３１は、画像形成装置１０が省電力モードで動作している場合は電源部３３から印刷機構部３２や画像バッファ３４への電力供給を停止させ、省電力モードから復帰する場合は印刷機構部３２や画像バッファ３４への電力供給を再開するように電源部３３を制御する。
【００２３】
クライアントコンピュータ装置やホストコンピュータ装置から画像形成装置１０に送られるデータには制御コードが付加される。本実施例においては、この制御コードに省電力モードからの復帰指令を示す特定の制御コード（以下、復帰指示コードという）が定められており、ユーザはファーストプリントまでの時間、すなわち、印刷データを画像形成装置１０に送って画像形成装置１０から最初のページが印刷出力されるまでの時間を早くしたい場合に、省電力モードからの復帰指示コードを付加して画像形成装置１０に送ることができる。
【００２４】
画像形成装置１０はクライアントコンピュータ装置やホストコンピュータ装置からデータを受信すると、先ずデータ解析部２２でデータに付加されている制御コードを解析する。制御コードが復帰指示コードである場合、画像形成装置１０が省電力モードで動作している場合には、直ちに省電力制御部３１に省電力モードから復帰させる省電力復帰信号を送信する。省電力制御部３１は、省電力復帰信号を受信すると直ちに電源部３３を制御し、印刷機構部３２や画像バッファ３４への電力供給を再開する。
【００２５】
これにより画像形成装置１０は直ちに省電力モードから復帰し、画像作成部２３がビットマップメモリに印刷データを展開して画像データを作成し、その画像データを画像バッファに出力する間に、定着器等の温度が所定の温度に上昇し印刷機構部３２が印刷可能な状態になる。この結果、ユーザはファーストプリントを素早く得ることができるようになる。
【００２６】
一方、受信したデータに復帰指示コードが付加されていない場合、受信したデータが印刷データである場合には画像作成部２３は、ビットマップメモリに印刷データを展開して画像データを作成し、画像出力部２４は、その画像データを画像バッファ３４に出力するとともに画像形成装置１０が省電力モードで動作している場合には省電力制御部３１に省電力復帰信号を送出する。これによって省電力制御部３１は電源部３３を制御して印刷機構部３２への電力供給を再開し、定着器などの温度が所定温度に達すると印刷機構部３２が印刷可能な状態になり、画像バッファ３４にバッファされていた画像データの印刷が開始される。
【００２７】
したがって、クライアントコンピュータ装置やホストコンピュータ装置から復帰指示コードが付加されていないデータが送信された場合、画像形成装置１０は、受信したデータに印刷すべきデータが含まれている場合に、画像データを印刷エンジン部３０に出力する段階で初めて省電力モードから復帰させる省電力復帰信号を省電力制御部３１に送出するものであるから、受信したデータに印刷データが含まれない場合の無駄な電力消費を抑制することができる。
【００２８】
以上説明した本発明の実施例にかかる画像形成装置１０の動作手順を図２に示すフローチャートを参照して説明する。ステップＳ１０の処理においてデータ受信部２１がクライアントコンピュータ装置やホストコンピュータ装置からデータを受信すると、ステップＳ１１の処理においてデータ解析部２２によりデータに付加されている制御コードが解析される。ステップＳ１１の処理において制御コードが解析されると、ステップＳ１２の処理において制御コードが復帰指示コードであるか判定する。制御コードが復帰指示コードである場合ステップＳ１３の処理において画像形成装置１０が省電力モードで動作中か判断される。画像形成装置１０が省電力モードで動作している場合はステップＳ１４の処理において直ちに省電力制御部３１に省電力復帰信号が送られる。ステップＳ１３の判定処理において省電力モードで動作していないと判定された場合はステップＳ１５の処理に進む。
【００２９】
ステップＳ１４の処理において省電力復帰信号が送信され、これを受信すると省電力制御部３１は、電源部３３を制御し印刷機構部３２等への電力供給を開始させる。次いでステップＳ１５の処理においてデータ中に印字データがあるかが判断され、印字データがあればステップＳ１６の処理において画像作成部２３はデータをビットマップ展開して印刷のための画像データを作成し、画像出力部はステップＳ１７の処理において画像バッファ３４に画像データを出力する。ステップＳ１５の判定処理においてデータ中に印字データが含まれていない場合、例えば、画像形成装置１０の設定を更新するようなデータであった場合には、ステップＳ１８の処理において画像形成装置１０は当該データで指定された所定の動作、すなわち、画像形成装置１０の設定情報を更新して処理を終了する。
【００３０】
なお、データに復帰指示コードが付加される場合はユーザがファーストプリントを素早く得るという意図のもとにクライアントコンピュータ装置やホストコンピュータ装置から画像形成装置にデータを送るものであるからステップＳ１５の処理において印字データがあるのが当然であり、ステップＳ１８の処理に進む場合はユーザが制御コードを誤って付加したようなミスであることが多いと考えてよい。また、ステップＳ１３の処理において画像形成装置１０が省電力モードで動作中か否かが判定されるため、復帰指示コードのデータへの付加にあたってユーザは画像形成装置１０の動作モードを意識する必要がない。
【００３１】
一方、ステップＳ１２の処理において制御コードが復帰指示コードでない場合には、ステップＳ１９の処理に進み、データ中に印字データがあるかが判断され、印字データがあればステップＳ２０の処理において画像作成部２３はデータをビットマップ展開して印刷のための画像データを作成する。そして、ステップＳ２１の処理において画像形成装置１０が省電力モードで動作中か判断される。画像形成装置１０が省電力モードで動作している場合はステップＳ２２の処理において省電力制御部３１に省電力復帰信号が送られる。
【００３２】
ステップＳ２２の処理において省電力復帰信号が送信され、これを受信すると省電力制御部３１は、電源部３３を制御し印刷機構部３２等への電力供給を開始させる。次いでステップＳ１７の処理において画像出力部２４は画像作成部２３が作成した画像データすなわちビットマップメモリに展開された画像データを画像バッファ３４に出力して処理を終了する。この場合、印刷機構部３２において定着器などの温度が所定温度に達すると印刷機構部３２が印刷可能な状態になり、画像バッファ３４にバッファされていた画像データの印刷が開始される。
【００３３】
ステップＳ２１の判定処理において画像形成装置が省電力モードで動作していないと判定された場合はステップＳ１７の処理に進み、画像出力部２４は画像バッファ３４に画像作成部２３が作成した画像データすなわちビットマップメモリに展開された画像データを出力して処理を終了する。この場合、省電力モードで動作していないので印刷機構部３２は直ちに印刷可能な状態であり、直ちに画像バッファ３４にバッファされた画像データの印刷が開始される。
【００３４】
一方、ステップＳ１９の判定処理においてデータ中に印字データが含まれていない場合、例えば、画像形成装置１０の設定を更新するようなデータであった場合には、画像形成装置１０はステップＳ２３の処理において当該データで指定された所定の動作、すなわち、画像形成装置１０の設定情報を更新して処理を終了する。
【００３５】
以上説明したように、本発明にかかる画像形成装置によれば、制御コードに省電力モードからの復帰を指示する特定の復帰指示コードを定め、ユーザがファーストプリントを素早く得たい場合には復帰指示コードをデータに付加して画像形成装置に送信するだけで素早く省電力モードから復帰し印刷結果を直ちに得ることができるようになる。また、復帰指示コードが付加されない場合は画像データが作成された段階で省電力モードから復帰されるから、データ中に印刷機構部で印刷すべきデータが含まれない場合の無駄な電力消費を抑制することができるようになる。
【図面の簡単な説明】
【００３６】
【図１】本発明の実施例にかかる画像形成装置の構成を示すブロック図である。
【図２】図１の画像形成装置の動作手順を示すフローチャートである。
【符号の説明】
【００３７】
１０・・・画像形成装置
２０・・・制御部
２１・・・データ受信部
２２・・・データ解析部
２３・・・画像作成部
２４・・・画像出力部
３０・・・印刷エンジン部
３１・・・省電力制御部
３２・・・印刷機構部
３３・・・電源部
３４・・・画像バッファ
【図１】
2006248054.tif 000003
【図２】
2006248054.tif 000004